(57)【要約】本発明は、特に車体の開口部に接着によって取り付けられるように設計された窓ガラスの使用に関する。窓ガラスは、賦形ビード（１３）を有するガラス板（１２）を備えている。賦形ビードは、取り付け時に車内に面するガラス板の少なくとも主表面上に固定され、開口部（１４）の少なくとも一部に支持される。このような窓ガラスの使用により、車体の開口部に窓ガラスを取り付けた後、開口部と窓ガラスの縁部との間に５ｍｍよりも小さい、目に見える空間（１７）を得ることができる。また、本発明は、このような使用のための窓ガラスに関する。
2004510629.tif 000002
【特許請求の範囲】
【請求項１】
車体開口部に特に接着によって取り付けられる窓ガラスの使用であって、賦形ビードを有するガラス板を備え、賦形ビードが、取り付けた状態で車内に面するガラス板の主表面に少なくとも固定され、開口部の少なくとも一部に当接し、取り付け後に開口部と窓ガラスの端面との間に見える空間が５ｍｍよりも小さいことを特徴とする、窓ガラスの使用。
【請求項２】
前記賦形ビードが、接着剤ビードの横方向の広がりを制限することを特徴とする、請求項１に記載の窓ガラスの使用。
【請求項３】
前記賦形ビードが、少なくとも一部が接着剤ビードによって覆われていることを特徴とする、請求項１または２に記載の窓ガラスの使用。
【請求項４】
前記賦形ビードが、それが固定される領域で、窓ガラスの面に対して傾斜していることを特徴とする、請求項３に記載の窓ガラスの使用。
【請求項５】
前記賦形ビードが、固定用突起を有していることを特徴とする、請求項３または４に記載の窓ガラスの使用。
【請求項６】
前記賦形ビードが、その長さの少なくとも一部にわたって、窓ガラスの縁部を越えて突出するリップを有していることを特徴とする、請求項１から５のいずれか一項に記載の窓ガラスの使用。
【請求項７】
必要に応じてカッティングワイヤとして使用される中実ワイヤが、前記接着剤ビード内もしくは前記賦形ビード内に、組み込まれていることを特徴とする、請求項１から６のいずれか一項に記載の窓ガラスの使用。
【請求項８】
少なくとも２つのカッティングワイヤが、前記接着剤ビード内もしくは前記賦形ビード内に組み込まれていることを特徴とする、請求項７に記載の窓ガラスの使用。
【請求項９】
少なくとも１つの覆いが、前記接着剤ビード内もしくは前記賦形ビード内に組み込まれていることを特徴とする、請求項１から８のいずれか一項に記載の窓ガラスの使用。
【請求項１０】
前記賦形ビードが、２部材料から成ることを特徴とする、請求項１から９のいずれか一項に記載の窓ガラスの使用。
【請求項１１】
前記賦形ビードが、熱可塑性物質から成ることを特徴とする、請求項１から９のいずれか一項に記載の窓ガラスの使用。
【請求項１２】
前記賦形ビードが、押出しによって、ガラス板の表面上に直接得られることを特徴とする、請求項１から１１のいずれか一項に記載の窓ガラスの使用。
【請求項１３】
前記賦形ビードおよび接着剤ビードが、ガラス板上に直接に、同時に押出され、少なくとも前記接着剤ビードが、窓ガラスが車体開口部に嵌め付けられるまで、塑性変形可能で、粘着性を有したままであることを特徴とする、請求項１から１２のいずれか一項に記載の窓ガラスの使用。
【請求項１４】
前記賦形ビードが、予め製造され、後に、例えば接着によりガラス板に固定されることを特徴とする、請求項１から１１のいずれか一項に記載の窓ガラスの使用。
【請求項１５】
前記賦形ビードが、カプセル化技術を使用して得られることを特徴とする、請求項１から１１のいずれか一項に記載の窓ガラスの使用。
【請求項１６】
特に接着によって車体開口部内に嵌め付けられるように意図され、特に車体と同一面となるように位置することの出来る窓ガラスであって、窓ガラスと車体との間に、特に５ｍｍオーダーまたは５ｍｍよりも小さい、目に見える空間だけを残し、賦形ビードを有するガラスシートを備え、賦形ビードは、取り付けた状態で車内に面するガラス板の少なくとも主表面に対して固定される、窓ガラス。
【請求項１７】
前記賦形ビードが、窓ガラスを固定するために接着剤ビードと協働し、これら２つのビードが、重なり合い、あるいは、部分的に重なり合い、あるいは、隣接することを特徴とする、請求項１６に記載の窓ガラス。
【請求項１８】
前記賦形ビードが、少なくとも一部に、この領域で接着剤ビードの横方向の広がりを制限する窓ガラスの面と略垂直に向く部分を有することを特徴とする、請求項１６または１７に記載の窓ガラス。
【請求項１９】
前記賦形ビードが、少なくとも一部が接着剤ビードによって覆われるように設計されることを特徴とする、請求項１６から１８のいずれか一項に記載の窓ガラス。
【請求項２０】
前記賦形ビードは、賦形ビードが固定される領域で、窓ガラスの面に対して傾斜していることを特徴とする、請求項１９に記載の窓ガラス。
【請求項２１】
前記賦形ビードが、固定用突起を有することを特徴とする、請求項１９または２０に記載の窓ガラス。
【請求項２２】
前記賦形ビードが、その長さの少なくとも一部にわたって、窓ガラスの縁部を越えて突出するリップを有することを特徴とする、請求項１６から２１のいずれか一項に記載の窓ガラス。
【請求項２３】
窓ガラスの少なくとも１方の側の賦形ビードの少なくとも一部にわたって、リップが剛性を有し、これにより、リップは、前記窓ガラスが前記開口部に装着される時に、車体開口部に対して応力を及ぼすことができることを特徴とする、請求項２２に記載の窓ガラス。
【請求項２４】
前記賦形ビードが、窓ガラスの少なくとも２つの面に沿ってリップを有することを特徴とする、請求項２２または２３に記載の窓ガラス。
【請求項２５】
必要に応じてカッティングワイヤとして使用される中実ワイヤが、前記賦形ビード内または前記賦形ビード上に、組み込まれることを特徴とする、請求項１６から２４のいずれか一項に記載の窓ガラス。
【請求項２６】
少なくとも２つのカッティングワイヤが、前記賦形ビード内または賦形ビード上に、組み込まれることを特徴とする、請求項２５に記載の窓ガラス。
【請求項２７】
少なくとも１つの覆いが、前記賦形ビード内または前記賦形ビード上に、組み込まれることを特徴とする、請求項１６から２６のいずれか一項に記載の窓ガラス。
【請求項２８】
前記賦形ビードが、２部材料から成ることを特徴とする、請求項１６から２７のいずれか一項に記載の窓ガラス。
【請求項２９】
前記賦形ビードが、熱可塑性物質から成ることを特徴とする、請求項１６から２７のいずれか一項に記載の窓ガラス。
【請求項３０】
前記賦形ビードが、押出しによって、ガラス板の表面上に直接得られることを特徴とする、請求項１６から２９のいずれか一項に記載の窓ガラス。
【請求項３１】
前記賦形ビードおよび接着剤ビードが、ガラス板上に同時に押出され、少なくとも前記接着剤ビードが、窓ガラスが車体開口部に嵌め付けられるまで、塑性変形可能で、粘着性を有したままであることを特徴とする、請求項１６から３０のいずれか一項に記載の窓ガラス。
【請求項３２】
前記賦形ビードが、予め製造され、例えば接着によりガラス板に固定されることを特徴とする、請求項１６から２９のいずれか一項に記載の窓ガラス。
【請求項３３】
前記賦形ビードが、カプセル化技術を使用して得られることを特徴とする、請求項１６から２９のいずれか一項に記載の窓ガラス。
【発明の詳細な説明】
【０００１】
本発明は、窓ガラスの分野、特に自動車用の窓ガラスに関し、具体的には、窓ガラスに取り付けられる装飾的および／または機能的な要素を備えた窓ガラスを対象としている。また、本発明は、特に、自動車の車体開口部に取り付けられ、取り付けた状態で車内に面するガラス板の主表面に少なくとも固定される賦形ビードを有するガラス板を備えた窓ガラスに関する。この賦形ビードは、付加物を覆うことにより、窓ガラスが取り付けられる時に隣接する壁部に対して加えることができる封止リブを持つ窓ガラスの縁部を越えて突出するリップを備えていても良い。
【０００２】
自動車の窓ガラスを自動車の車体の各開口部に接着することは、一般に知られた方法である。この目的のため、窓ガラスには、しばしば賦形ビードが設けられる。賦形ビードは、取り付けた状態で車内に面する窓ガラスの主表面に少なくとも固着される。この同じ主表面上に、賦形ビードおよび／またはその近傍に、一連の接着剤が塗布される。一連の接着剤が供せられた窓ガラスは、次に、開口部内に挿入される。開口部は、一連の接着剤が塗布される装着フランジによって取り囲まれる。取り付けた状態の窓ガラスは、好ましくは車体の外面と略同一面でなければならない。そのため、装着フランジは、外周が傾斜した段部によって車体の主表面に対して窪んでいる。傾斜した段部の高さは、窓ガラスおよび接着剤の厚さに対応する。特定の実施形態において、窓ガラスの端面は、賦形ビードによって覆われない。窓ガラスおよび開口部の周縁の寸法は、製造時の寸法のばらつきにより、許容誤差なく互いに一致させることができないため、傾斜した段部または開口部の縁部と窓ガラスとの間には、溝状の空間が残る。
【０００３】
文献ＤＥ−Ａ１−３８１８９３０によれば、この空間を覆うため、例えば押出しにより、窓に接着された賦形ビード上に直接形成されるリップが設けられている。同文献の、実施形態の他の代替形態において、柔軟なエラストマープラスチックから成る追加の賦形ストリップが、車内に面する主表面上に、窓の周縁表面に沿って接着される。この賦形ストリップは、窓ガラスが装着状態にある時に前記空間を満たす管状部を有している。
【０００４】
また、一実施形態において、３方で、すなわち、外側主表面上で、窓の外縁および端面を取り囲む、賦形の形状も（文献ＤＥ−Ａ１−４３０１０２６から）知られている。賦形の形状は、窓ガラスから突出し、横方向の溝を覆うリップを更に備えている。
【０００５】
そのような賦形のための材料として、今まで、熱可塑性物質、好ましくは熱可塑性エラストマー（ＴＰＥ）または熱可塑性オレフィン（ＴＰＯ）が主に使用されてきた。これらとともに、押出し段階で既に十分に薄く、窓ガラスが車体に取り付けられる時、装着中に過度に強い応力を生じることなく、弾性的に曲げて開口部の縁部に当接させることができるようにリップを製造することができる。シール機能に加え、リップは、挿入中に窓ガラスを開口部の中心に置き、窓ガラスを中心位置に保持する。
【０００６】
次に、従って折り曲げたリップによって覆われる空間に埃が溜まる可能性があり、溝の底部から埃を取り除くことは難しい。従って、残存する空間は、実際には、一般に７ｍｍよりも大きく、多量の埃が侵入する可能性がある。
【０００７】
本発明の目的は、前述した欠点を避け、窓ガラスの一部を覆う仕上げストリップを必要としない賦形ビードを備えた窓ガラスを新規なタイプで取り付けることである。
【０００８】
この目的は、本発明によれば、自動車の車体開口部内に特に接着によって取り付けられるように設計された窓ガラスであって、賦形ビードを有するガラス板を備え、賦形ビードが、取り付けた状態で車内に面するガラス板の主表面に少なくとも固定され、開口部の少なくとも半分に当接し、取り付け後に開口部と窓ガラスの端面との間に見える空間が５ｍｍよりも小さく、好ましくは３ｍｍよりも小さい窓ガラスによって達成された。
【０００９】
「窓ガラスの端面」とは、窓それ自体の端面、または、賦形ビードが窓の端面を覆う場合には賦形ビードの対応する部分を意味すると理解すべきである。本発明による賦形ビードは、連続部材あるいは不連続部材であっても良く、単一部材あるいは複数の部材であっても良い、すなわち、ガラス板の外面に置く少なくとも２つの略平行な部品から成っていても良い。
【００１０】
したがって、本発明によれば、窓の主表面および隣接する壁すなわち車体表面と同一面で閉じることができる。得られる技術的な利点に加えて、これにより、外観上、略閉じられた表面が形成される。技術的な利点は、基本的には、車体開口部と窓ガラスとの間の目に見える空間が減少すること、および、前記領域が汚れる虞を完全に防止できることである。
【００１１】
本発明による実施形態は、発明者が成した選択により、通常採られている予防措置に逆行することが可能になった。すなわち、発明者は、実際には、窓ガラスと開口部との間の空間を減少させることを選択し、当業者の期待に反して、本発明による技術が受容可能であり、窓ガラスを損傷させる虞がないということを実証することができた。
【００１２】
本発明の有利な実施形態によれば、賦形は、接着剤ビードの広がり、特に横方向への広がりを制限するように設計されている。したがって、賦形ビードの形状は、窓ガラスを車体開口部に固定するために使用される接着剤が過度に広がり、窓ガラスの視野を乱さないように設計されることが有利である。また、この形状により、窓ガラスと車体開口部の底部との間に空間を画定することができ、これにより、少なくとも一方向に所定の位置決めを行なうことができることが有利である。また、このように画定された、賦形ビードの形状により、窓ガラスを固定するために必要な接着剤の量を予め決めることができ、それ故、窓ガラスをしっかりと固定することを保証し、作業の自動化を容易にすることが出来る。
【００１３】
本発明の実施形態の第１の代替形態によれば、接着剤ビードは、賦形ビードを少なくとも部分的に覆う。実施形態のこの代替形態によれば、特に、賦形ビードの性質および接着剤ビードの性質に応じて、これら２つのビードの結合により窓ガラスの固定が補強される。この代替形態による一実施形態において、接着剤ビードは、完全に賦形ビード上に置かれ、それ故に、その結合力は、窓ガラスの固定に直接に関与する。窓ガラスの固定の場合、本発明では、２つのビードを結合するために、結合力と機械的な接着力との組み合わを考えることが有利である。これを実行するため、賦形ビードは、固定用突出部を有していることが好ましい。これらの突出部は、硬化後に機械的に保持される接着剤ビードを収容する。また、このような場合、本発明では、２つのビード同士の接着を考えないことが有利である。そのような実施形態によれば、必要に応じて窓ガラスを取り外すことが容易となる。実際に、２つのビード同士の機械的な結合が重ね合わせ形式である場合、取り外しは容易である。
【００１４】
特に、ガラス板が小さな曲率半径の湾曲部を有する少なくとも２つの側部を備えている場合に、接着剤ビードが少なくとも部分的に賦形ビードを覆う他のケースでは、賦形ビードが傾斜をもって作成され、賦形ビードの表面が、窓ガラスの中心に向けられた縁部から、ガラス板の縁部に位置する他の縁部に向けて下方に傾斜する。そのような実施形態は、特に、フロントガラスまたはバックライトに適用され、横方向のアプローチ角は小さい。この種の実施形態によれば、後にロボットにより接着剤ビードを設置することが容易となる。すなわち、この領域で窓ガラスの平面に対する賦形ビードの傾きにより、窓ガラスが凸側の中心に置かれる際、接着剤ビードの設置面を水平方向に真直ぐにすることができる。
【００１５】
本発明の実施形態の他の代替形態によれば、接着剤ビードは、賦形ビードを全く覆わない。この場合、２つのビード間の唯一の接触は、賦形ビードが接着剤ビードの横方向の広がりを制限するように設計されているという点とおそらく関連する。
【００１６】
本発明の好ましい実施形態によれば、賦形ビードは、その長さの少なくとも一部にわたって、窓ガラスの縁部を越えて突出するリップを有している。このようなリップは、変形可能に、あるいは、柔軟に作成されることが有利である。これらの特徴は、前記リップに、リップが様々な機能を果たすことができる機械的な特性を与える。まず第１に、リップが窓ガラスの少なくとも２つの側部の全て、或は一部にわたる場合に、リップは、窓ガラスを車体開口部内に正確に位置決めするための中心を決める道具として機能する。例えばまた、リップが賦形ビードの長さの全てまたは一部に沿って窓ガラスの上部に設けられており、窓ガラスの底部がストッパ上に置かれている場合、前記リップは、リップと対向する車体開口部に対して応力を与え、これにより、車体開口部と窓ガラスとの間に画定された空間が存在することを保証する。さらに、リップは、ガラス板と車体とが接触するあらゆる虞を防ぎ、それ故にガラス板を損傷するあらゆる危険を防ぐ。
【００１７】
また、このように形成されるリップは、開口部と窓ガラスとの間を封止する機能を有していても良い。すなわち、リップは、選択する一方向または他方向に曲げられ、開口部に対して押圧される。このようにして及ぼされる圧力により、十分に良好な封止をもたらす。この機能のため、リップは、窓ガラスの少なくとも３つの側部に沿って設けられることが有利である。実際には、リップは、窓ガラスが取り付けられる際、窓ガラスの底部に存在することが必須ではない。
【００１８】
本発明の有利な実施形態によれば、中実ワイヤが、接着剤ビード内もしくは賦形ビード内に、組み込まれる。このワイヤは、必要に応じて窓ガラスを容易に取り外せるようにし、特に材料を再利用するようにする、目的を有する。
【００１９】
そのようなビードは、このワイヤの少なくとも一端を突出させるべく、接着剤ビードが作成される際に、例えば接着剤ビード内または接着剤ビード下に挿入される。したがって、窓ガラスが、この端部を把持する位置にある時に、おそらく道具を使用して、次に、おそらくまた道具を使用してワイヤを引くことにより、接着剤ビードを破壊する可能となる。
【００２０】
接着剤ビードや賦形ビードを破壊することを可能とするような装置は、窓ガラスが取り外される場合、本発明において実際に不可欠である。すなわち、窓ガラスと車体開口部との間に見える５ｍｍよりも小さい空間は、カッティング用の道具を挿入することができず、また、そのような道具を作動させることができない。実際に、賦形ビードが固定用突出部を有している場合で、窓ガラスと車体との間の結合が、純粋に機械的性質のものである前述の場合のみ、カッテングワイヤ等の装置を伴うことなく窓ガラスを取り外すことができる。しかしながら、本発明では、そのようなワイヤを、機械的な保持手段のみを示すこの装着と組み合わせることも考えられることに留意すべきである。この場合、接着性の縁と賦形ビードとを引き離すのに役立つのは、もはやカッティングワイヤではなく、ワイヤである。
【００２１】
本発明の他の有利な実施形態によれば、少なくとも２つのワイヤが、接着剤ビード内または賦形ビード内に、組み込まれる。この場合、ワイヤは、互いにある距離だけ離れて位置されていることが好ましく、これにより、各ワイヤが接着剤ビードの一部を破断すれば良い。したがって、この作業に必要な力は軽減される。
【００２２】
特にこのようなワイヤを取り付けるための手段は、例えば、文献ＥＰ−Ａ−０１２１４８０およびＥＰ−Ａ−０２９８７８８に記載されている。
【００２３】
さらに、接着剤ビード内または賦形ビード内に部材を組み込む、あるいは、賦形ビードと接着剤ビードとの間に部材を少なくとも組み込むというこの同じ原理によれば、本発明では、有利には他の部材が、次に挿入される覆いを取り付けることを考える。この場合、これはカッティングワイヤ、または、異なる機能を有する別のタイプの部材であって良い。
【００２４】
本発明の有利な一実施形態では、２部材料でできた賦形ビ−ドを考える。例えば、賦形ビードはポリウレタンである。このような材料を選択すると、使用する接着剤との優れた適合性を示すことができるという利点があり、また、この接着剤を同様の種類から選択することが容易に可能である。
【００２５】
本発明による他の実施形態では、賦形ビードを熱可塑性物質から作成することを考える。そのような材料には、特に、しばしば要求される、再利用が容易であるという利点がある。接着剤との適合性に関しては、これを得るのは常に簡単ではない。それが必要となる場合、特に、接着剤ビードが少なくとも部分的に、熱可塑性物質から成る賦形ビードを覆う場合、賦形ビードの表面を予め接着下塗剤でコーティングしておくことが望ましい。
【００２６】
両方の場合において、賦形ビードを作成する手段は異なる。
【００２７】
第１のタイプの実施形態によれば、本発明では、賦形ビードを、押出しによってガラス板の表面上に直接得ることを考えることが有利である。有利には、熱可塑性物質から成る賦形ビードの場合、押出し装置、特に押出しヘッドおよび配管が加熱される。
【００２８】
実施形態の代替形態において、賦形ビードおよび接着剤ビードは、接着剤ビードを持つガラス板上に直接に、同時に押出され、接着剤ビードは、窓ガラスが車体開口部に嵌め付けられるまで、塑性変形可能で、粘着性を有したままである。
【００２９】
本発明の第２のタイプの実施形態によれば、賦形ビードは、例えば押出しにより予め製造され、後に、例えば接着によりガラス板に固定される。このような賦形ビードは、例えば、長い長さに押出しによって作成され、次いで、与えられた窓ガラスに必要な長さにカットされて、窓ガラスに固定される。窓ガラスを固定するために、例えば穴をあけた賦形を設けることにより窓ガラスを接着することができ、接着剤が孔を通って、ガラス板と接触して賦形ビードをしっかりと固定することができる。
【００３０】
本発明の最後の実施形態によれば、賦形ビードは、カプセル化技術を使用して得られる。
【００３１】
賦形ビードを得る任意のこれらの技術によれば、窓ガラスが車体開口部に固定される時、前記賦形ビードは、窓ガラスの内面に作成されるが、賦形ビードは、窓ガラスの端面の一部を覆い、および／または、窓ガラスの外面の一部を覆う。
【００３２】
賦形ビードおよび／または接着剤ビードは、ガラスと直接に接触しても良く、あるいは、それ自体ガラス上に施されるエナメルコーティング等の不透明層と接触しても良い。
【００３３】
窓ガラスに関しては、窓ガラスは、少なくとも１枚のガラス板から成り、したがって、積層窓ガラスから成っていても良い。
【００３４】
また、本発明は、賦形ビードを備え、特に接着によって車体開口部に固定される、特にガラス板から成る窓ガラスを提供する。この窓ガラスは、特に前述したように使用でき、例えば装着後に窓ガラスと車体開口部との間に見える空間が５ｍｍよりも小さくなるように固定される。
【００３５】
本発明の他の有利な詳細および特徴は、以下の、図１から図３を参照する本発明の典型的な実施形態から明らかとなる。
【００３６】
図１は、賦形ビード２が設けられたガラス板１から成る窓ガラスを示す。賦形ビード２は、ガラス板１の縁部の近傍で、ガラス板１の主表面の一方に固着されている。このガラス板１の主表面の一方は、窓ガラスが車体開口部に取り付けられると、内側の表面となる。
【００３７】
賦形ビード２は、ガラス板１の表面上、すなわち、図示するようにスクリーン印刷によって設けられたエナメル層等のコーティング３上に直接に設置することができる。賦形ビード２は、押出しにより、あるいは、オーバーモールド、カプセル法、プレハブビードの接着等といった他の幾つかの方法により、設けることが好ましい。賦形ビードは、熱可塑性物質、好ましくは、エラストマー、あるいは熱可塑性エラストマーの混合物（ＴＰＥ）、あるいは熱可塑性オレフィン（ＴＰＯ）によって作成される。また、賦形ビードは、ポリウレタン等の２部材料であっても良い。
【００３８】
ガラス板１は、ガラスまたは透明プラスチックから成っていても良く、一体的に形成されても良く、あるいは、図とは異なり、ガラス板は、少なくとも２枚のガラス板および／または透明プラスチックシートを組み合わせた積層構造により作成されても良い。
【００３９】
賦形ビード２は、基本的に、ガラス板の主表面上に置かれるベース賦形部を備えている。このベース賦形部は、実際には、ガラス板１の面から直角に突出しており、その自由端でベアリングリブ４を形成する。取り付け位置において、ベアリングリブは、それ自体、車体開口部の装着フランジに対向し、装着時には、窓ガラスを前記開口部に設置する深さに関して、車体開口部における窓ガラスの位置を画定する。
【００４０】
図示された実施形態において、賦形ビード２は、内側に面するガラス板１の主表面にのみ固着される。代替形態として、賦形ビードは、ガラス板の２つまたは３つの面、すなわち、前記ガラス板の１つの主表面および端面の少なくとも一部、または、それぞれガラス板の端面を跨ぐガラス板の２つの主表面および端面を覆っても良い。
【００４１】
図２は、前述したようにガラス板５から成る他のタイプの窓ガラスを示す。しかしながら、前述したようにこの窓ガラスは、プラスチク板であっても良く、あるいは、積層構造の窓ガラスであっても良い。前述した方法のうちの１つにしたがって作成される前述した材料のうちの１つから成る賦形ビード６は、ガラス板５に対して、更に正確には、それ自体、ガラス板５の周縁に設けられた不透明層７に対して固定される。
【００４２】
また、この図２は、賦形ビード６上に設けられた接着剤ビード８を示している。他のタイプの実施形態において、この接着剤ビード８は、ガラス板５上または不透明層７上に直接に設けられても良く、あるいは、賦形ビード６を部分的に覆っても良い。この接着剤ビード８は２つのベアリングリブ９間に設けられる。これら２つのベアリングリブ９は、接着剤が広がることを両側で制限し、車体開口部の底部を窓ガラスから離す距離を画定する。
【００４３】
賦形ビード６は、窓ガラスの縁部を越えて突出するリップ１０を更に備える。
【００４４】
一部品から形成されるリップ１０は、ベース賦形部６から、ガラス板の主表面と略平行なベース賦形部６の主延長に対して特定の、ガラス板５とベアリングリブ９との間の略中間の角度を成して突出し、ガラス板５の周縁を越えて延びる。
【００４５】
この構成において、リップ１０は、様々な機能を有していても良い。リップ１０は、賦形ビード６の弾性的に変形可能な部分を形成することが有利である。従って、リップ１０は、車体開口部への取り付け時に変形して、中心を決める部材として機能することができる。無論、リップは、前記ガラス板と車体開口部の金属部分との間の激しい接触を防止するため、ガラス板５を保護する機能も有している。さらに、リップ１０は、大きな圧力下で車体開口部に適用されるため、封止機能も有している。リップの変形により、最低限でも、雨や洗浄水を排出するための溝を形成することができる。このリップの機能については、図３の説明において再び述べることにする。
【００４６】
また、図２は、賦形ビード６内に組み込まれるカッティングワイヤ１１を示す。このようなワイヤは、接着剤ビード内に嵌め込んでも良く、あるいは、２つのビード間に嵌め込んでも良い。装着後に作業者がおそらく道具を使用してワイヤを握ることができるように、少なくともワイヤの一端を自由のままにしておく必要がある。次に、図２の場合のように、張力によって、接着剤ビード８または賦形ビード６を切断することができる。
【００４７】
図３は、接着剤ビード１５を使用して車体開口部１４内に賦形ビード１３を備えた窓ガラス１２を装着する本発明による実施形態を概略的に示す。また、この図には、窓ガラス１２および賦形ビード１３の他に、図示しない車体開口部１４の縁部も示されている。窓ガラス１２は、賦形ビード１３に塗布された接着剤ビード１５により、車体の直立材１４に粘着接続されている。また、変形した状態で窓ガラス１２の縁部を越えて突出するように、賦形ビード１３を延長するリップ１６を見ることが出来る。また、図３には、特に、中心を決める機能、シール機能、排水機能といったリップが有してもよい様々な機能が明確に示されている。
【００４８】
この装着状態において、窓ガラス１２の外側の主表面は、車体の外部表面と略同一面になっている。さらに、本発明によれば、車体開口部と窓ガラスとの間に見える空間１７は、５ｍｍよりも小さい寸法を有している。
【００４９】
このような窓ガラスの装着に関して以前の構成と比較すると、この構成においては、埃の存在を避けることができる空間が窓ガラスと車体開口部との間に得られる。さらに、前記空間の減少により、空気力学的なノイズを削減できることが分かった。本発明による実施形態の他の利点は、非常に特殊な視覚および魅力的な外観を与えるという点である。これは、このような構成を有する車から比較的短い距離に離れて立つ観察者にとって、窓ガラスは、車体から途切れなく連続して見えるからである。
【００５０】
以上に記した詳しい説明は、主表面に固着した賦形ビードを押出しによって設けられた窓ガラスに、特に関する。
【００５１】
同じ教示内容を、他の技術（カプセル法または接着法）によっておよび／または窓の１つの面よりも多くを覆うことによって得られる賦形に適用することができる。
【図面の簡単な説明】
【図１】
本発明の一実施形態のための窓ガラスを示す図である。
【図２】
本発明による一実施形態のための他の窓ガラスを示す図である。
【図３】
他の窓ガラスを使用する本発明による一実施形態の図である。
【図１】
2004510629.tif 000003
【図２】
2004510629.tif 000004
【図３】
2004510629.tif 000005
【国際公開パンフレット】
2004510629.tif 000006
2004510629.tif 000007
2004510629.tif 000008
2004510629.tif 000009
2004510629.tif 000010
2004510629.tif 000011
2004510629.tif 000012
2004510629.tif 000013
2004510629.tif 000014
2004510629.tif 000015
2004510629.tif 000016
2004510629.tif 000017
2004510629.tif 000018
2004510629.tif 000019
2004510629.tif 000020
2004510629.tif 000021
2004510629.tif 000022
2004510629.tif 000023
2004510629.tif 000024
【国際調査報告】
2004510629.tif 000025
2004510629.tif 000026
2004510629.tif 000027
2004510629.tif 000028